(57)【要約】【課題】簡易な構造でポンプの防振構造を実現することができる貯湯式給湯機を提供する。【解決手段】湯水を貯湯する貯湯タンク３と、湯水を送水するふろ循環ポンプ８と、を備えた貯湯式給湯機であって、貯湯タンク３を覆う形状に形成された断熱材３１，３２と、断熱材３１，３２に設けられた断熱材切欠き部３５に嵌挿されて固定された挿入用断熱材３４と、挿入用断熱材３４に固定されたポンプ支持架台５４と、を備え、ポンプ支持架台５４は、ふろ循環ポンプ８が設置されるためのポンプ設置部５４２を有し、挿入用断熱材３４が断熱材３１，３２に嵌挿された場合に、ポンプ設置部５４２が外部へ突出する形状に形成されている。【選択図】図２
2012197983.tif 000002
【特許請求の範囲】
【請求項１】
湯水を貯湯する貯湯タンクと、湯水を送水するポンプと、を備えた貯湯式給湯機であって、
前記貯湯タンクを覆う形状に形成された断熱材と、
前記断熱材に設けられた嵌合部に嵌挿されて固定された挿入用断熱材と、
前記挿入用断熱材に固定されたポンプ支持部材と、を備え、
前記ポンプ支持部材は、前記ポンプが設置されるためのポンプ設置部を有し、前記挿入用断熱材が前記嵌合部に嵌挿された場合に、前記ポンプ設置部が外部に突出する形状に形成されていることを特徴とする貯湯式給湯機。
【請求項２】
前記ポンプ支持部材は、防振部材を介して前記挿入用断熱材に固定したことを特徴とする請求項１記載の貯湯式給湯機。
【請求項３】
前記断熱材は、少なくとも２つの断熱材を当接させて構成され、前記嵌合部は、前記２つの断熱材の当接面を跨いで形成され、
前記挿入用断熱材および前記嵌合部は、前記当接面の離反に対する抗力を発する嵌合構造を有することを特徴とする請求項１または２に記載の貯湯式給湯機。
【請求項４】
前記挿入用断熱材は、前記ポンプ支持部材が外部へと突出するための溝を更に備え、
前記溝は、前記ポンプを作動した場合に前記ポンプ支持部材と当該溝とが接触しない溝幅に設定されていることを特徴とする請求項１乃至３の何れか１項記載の貯湯式給湯機。
【請求項５】
前記挿入用断熱材は、前記固定部に設置された前記ポンプの排水部を囲う囲み部を更に備えることを特徴とする請求項１乃至６の何れか１項記載の貯湯式給湯機。
【請求項６】
前記挿入用断熱材は前記断熱材よりも機械的強度の高い材料で構成したことを特徴とする請求項１乃至５の何れか１項記載の貯湯式給湯機。
【発明の詳細な説明】
【技術分野】
【０００１】
この発明は、貯湯式給湯機に関する。
【背景技術】
【０００２】
従来、貯湯式給湯機においては、貯湯タンクの保温や断熱の為、貯湯タンクの外側に上下及び左右の４個に分割形成された発泡性成型断熱材を用いて、貯湯タンクの外側全体を覆う構成のものが知られている。
【０００３】
また、追い焚き機能付き給湯機には、給湯機内に水や湯を循環させる為の循環ポンプが使用されている。この循環ポンプを給湯機内に保持する方法としては、発泡性成型断熱材に取り付け板金をインサートして防振架台を締結する方法が知られている（例えば、特許文献１参照）。この方法によれば、循環ポンプが発泡性成型断熱材給湯機内によって保持されるので、ポンプ駆動時に発生する振動が減少される。
【先行技術文献】
【特許文献】
【０００４】
【特許文献１】特開２００８−５７７９４号公報
【発明の概要】
【発明が解決しようとする課題】
【０００５】
しかしながら、上述した従来の防振構造では、取り付け板金を発泡性成型断熱材の発泡工程で埋設して形成する必要がある。このため、発泡性成型断熱材の製造コストが高くなることや、複数の部品が必要で構造が複雑となるといった問題がある。
【０００６】
この発明は、上述のような課題を解決するためになされたもので、簡易な構造でポンプの防振構造を実現することができる貯湯式給湯機を提供することを目的とする。
【課題を解決するための手段】
【０００７】
この発明に係る貯湯式給湯機は、湯水を貯湯する貯湯タンクと、湯水を送水するポンプと、を備えた貯湯式給湯機であって、貯湯タンクを覆う形状に形成された断熱材と、断熱材に設けられた嵌合部に嵌挿されて固定された挿入用断熱材と、挿入用断熱材に固定されたポンプ支持部材と、を備え、ポンプ支持部材は、ポンプが設置されるためのポンプ設置部を有し、挿入用断熱材が嵌合部に嵌挿された場合に、ポンプ設置部が外部に突出する形状に形成されているものである。
【発明の効果】
【０００８】
この発明によれば、簡易な構造でポンプの防振構造を実現することができる貯湯式給湯機を提供することが可能となる。
【図面の簡単な説明】
【０００９】
【図１】本発明の貯湯式給湯機の実施の形態１としての給湯装置の回路構成図である
【図２】貯湯タンクの断熱構造を示す図である。
【図３】挿入用断熱材の構造を示す図であり、図３（ａ）は挿入用断熱材の斜視図を、図３（ｂ）は挿入用断熱材を図３（ａ）中の矢印Ａの方向から見た正面図を、それぞれ示している。
【図４】断熱材切欠き部と挿入用断熱材との嵌挿構造を説明するための図である。
【図５】挿入用断熱材にふろ循環ポンプを固定するための構造およびその部品構成を説明するための分解斜視図である。
【図６】挿入用断熱材にふろ循環ポンプを固定した状態を示す斜視図である。
【図７】挿入用断熱材にふろ循環ポンプを固定した状態を示す上面図である。
【図８】ポンプ支持架台と挿入用断熱材との締結方法について説明するための図である。
【発明を実施するための形態】
【００１０】
以下、図面を参照して、本発明の実施の形態について説明する。尚、各図において共通する要素には、同一の符号を付して、重複する説明を省略する。
【００１１】
実施の形態１．
図１は、本発明の貯湯式給湯機の実施の形態１としての給湯装置の回路構成図である。図１に示す給湯装置は、タンクユニット１とヒートポンプユニット２とから構成されており、２つのユニットは沸き上げ往き配管５および沸き上げ戻り配管６によって接続されている。ヒートポンプユニット２は冷凍サイクルによって大気の熱を冷媒に吸収し、タンクユニット１から供給される低温水を加熱するための熱源である。
【００１２】
タンクユニット１の内部には、ヒートポンプユニット２によって加熱された湯を貯めておくための円筒状の貯湯タンク３が設置されている。上述した沸き上げ往き配管５および沸き上げ戻り配管６のタンクユニット１側は、貯湯タンク３の上部および下部にそれぞれ接続されている。沸き上げ往き配管５の途中には、貯湯タンク３内の下部から取り出した水をヒートポンプユニット２へ送水するための沸き上げ循環ポンプ７が配設されている。また、貯湯タンク３の下部には、水源から本給湯機に水を供給するための給水配管４が配設されている。
【００１３】
貯湯タンク３の上部には、ふろ用熱交換往き配管１０の一端が接続されている。ふろ用熱交換往き配管１０の他端は、熱交換器２０に内包されたふろ用熱交換配管１１の入口側に接続されている。熱交換器２０は、ふろ用熱交換配管１１から後述する熱交換配管１７へ熱量を与えることで、熱交換配管１７内の湯水が加熱される構造となっている。ふろ用熱交換配管１１の出口側には、ふろ用熱交換戻り配管１２が接続されている。ふろ用熱交換戻り配管１２の途中にはふろ循環熱源ポンプ９が配設され、その下流側は貯湯タンク３の下部に接続されている。
【００１４】
貯湯タンク３の上部には、ふろ循環往き配管１３の一端が接続されている。ふろ循環往き配管１３の途中にはふろ電磁弁１９が配置され、その下流側は熱交換器往きバイパス管１４とふろ往き配管１５とに分岐している。尚、ふろ電磁弁１９は、逆止弁となっており、貯湯タンク３に温水がふろ循環往き配管１３内を逆流しない構成になっている。ふろ往き配管１５の他端は、ふろ浴槽１８に接続され、また、熱交換器往きバイパス管１４の他端は、上述した熱交換器２０に内包された熱交換配管１７の入口側に接続されている。熱交換配管１７の出口側は、ふろ用戻り配管１６の一端に接続されている。ふろ戻り配管１６の他端は、浴槽１８に接続されている。また、ふろ戻り配管１６の途中には、ふろ循環ポンプ８が配設されている。
【００１５】
このような貯湯式給湯機において、ふろ浴槽１８内に貯湯タンク３内の湯を給湯する場合には、貯湯タンク３内の温水がふろ循環往き配管１３、ふろ電磁弁１９、およびふろ往き配管１５を通過してふろ浴槽１８へ給湯される。一方、通常追い焚きを行う場合には、ふろ循環ポンプ８およびふろ循環熱源ポンプ９が駆動される。これにより、ふろ戻り配管１６を通過した浴槽内の湯水は熱交換器２０にて加熱された後に、ふろ往き配管１５を通過して再度浴槽に戻される。
【００１６】
次に、図２を参照して、本実施の形態１の給湯装置の特徴的構成について説明する。図２は、貯湯タンク３の断熱構造を示す図である。図２に示すとおり、円筒状の貯湯タンク３は、その外郭の上部、中央右部、中央左部、および下部の４つに分割された断熱材３０，３１，３２，３３で覆われている。断熱材３０，３１，３２，３３は、貯湯タンク３を保温断熱するための断熱材であって、例えば発泡スチロール等の発泡性の成型断熱材によって形成されている。貯湯タンク３の中央部（円筒側面部）を覆う断熱材３１，３２には、それらが互いに当接する面を跨いで凹状の断熱材切欠き部３５（嵌合部）が設けられている。本実施の形態１の給湯装置では、ふろ循環ポンプ８を後述する挿入用断熱材３４に固定し、当該断熱材切欠き部３５に嵌挿する構造に特徴を有している。以下、これらの構造について更に詳細に説明する。
【００１７】
図３は、挿入用断熱材３４の構造を示す図である。尚、図３（ａ）は挿入用断熱材３４の斜視図を、図３（ｂ）は挿入用断熱材３４を図３（ａ）中の矢印Ａの方向から見た正面図を、それぞれ示している。これらの図に示すとおり、挿入用断熱材３４には、後述するポンプ支持架台５４（ポンプ支持部材）を収めるための切削部５０（スリット溝）、断熱材３１，３２の当接面の離反を抑制するためのカギ部５１（突起部）、および後述するふろ循環ポンプ排水栓５５を囲むための排水栓囲み部５２が、それぞれ形成されている。
【００１８】
図４は、断熱材切欠き部３５と挿入用断熱材３４との嵌挿構造を説明するための図である。この図に示すとおり、カギ部５１は、断熱材３１，３２に形成された断熱材切欠き部３５への挿入方向に向かって延びる突起であって、その先端の外側の角が面取りされた形状になっている。一方、断熱材切欠き部３５は、矩形形状の凹部として形成され、その外形が挿入用断熱材３４の外形と嵌合する大きさに設定されている。また、凹部の底面３５１の長手方向の端部には、カギ部５１が挿入されるための更なる凹部３５２がそれぞれ形成されている。このような構造によれば、断熱材切欠き部３５に挿入用断熱材３４を嵌挿することにより、挿入用断熱材３４のカギ部５１が断熱材３１，３２の各凹部３５２に架かるので、断熱材３１，３２の当接面が離反する事態を有効に抑止することができる。
【００１９】
図５は、挿入用断熱材３４にふろ循環ポンプ８を固定するための構造およびその部品構成を説明するための分解斜視図である。また、図６は、挿入用断熱材３４にふろ循環ポンプ８を固定した状態を示す斜視図であり、図７は、挿入用断熱材３４にふろ循環ポンプ８を固定した状態を示す上面図である。これらの図に示すとおり、ふろ循環ポンプ８は、ポンプ支持架台５４を用いて挿入用断熱材３４に固定される。ポンプ支持架台５４は、挿入用断熱材３４に固定される側の固定部５４１と、ふろ循環ポンプ８が設置される側のポンプ設置部５４２と、該固定部５４１とポンプ設置部５４２とを架け渡す架け渡し部５４３とを有している。
【００２０】
図５乃至図７に示すとおり、ふろ循環ポンプ８は、ポンプ締結ネジ５８によってポンプ支持架台５４のポンプ設置部５４２に締結される。また、ポンプ支持架台５４は、架け渡し部５４３が切削部５０の隙間に挿入され、ポンプ設置部５４３が挿入用断熱材３４の表面３４１側に突出し、且つ、固定部５４１が挿入用断熱材３４の裏面３４３へ密着された配置で挿入用断熱材３４に固定される。挿入用断熱材３４およびポンプ支持架台５４には、表面３４１側から固定部５４１まで貫通するように孔３４２，５４４がそれぞれ設けられている。ここでは、具体的には、これらの孔３４２および孔５４４に防振ゴム（ウェルナット）５６及び防振ゴム締結ネジ５７を挿入することで、ポンプ支持架台５４と挿入用断熱材３４とが締結される。
【００２１】
図８は、ポンプ支持架台５４と挿入用断熱材３４との締結方法について説明するための図である。この図に示すとおり、挿入用断熱材３４とポンプ支持架台５４の固定部５４１を重ねた状態で防振ゴム５６を挿入し、防振ゴム締結ネジ５７を捻じ込むと、該防振ゴム５６の中間部が変形して両者が締結される。このような締結構造によれば、振動の発生源であるふろ循環ポンプ８に接続されているポンプ支持架台５４に防振効果が薄い防振ゴム締結ネジ５７が直接触れず、防振効果がある挿入用断熱材３４と防振ゴム５６のみが触れる構成となり、振動が有効に抑制される。尚、締結の際には、防振ゴム５６と防振ゴム締結ネジ５７の間にワッシャーを入れ、取り付け面の応力を緩和する構成としてもよい。
【００２２】
また、切削部５０の隙間は、ふろ循環ポンプ８が駆動されて振動した場合でも、架け渡し部５４３が当該切削部５０に接触しないスリット幅に設定されている。これにより、ふろ循環ポンプ８の振動が架け渡し部５４３を介して切削部５０に直接伝わる事態を有効に抑止することができる。
【００２３】
更に、図５乃至図７に示すとおり、挿入用断熱材３４の表面３４１側の中央部には、ふろ循環ポンプ排水栓５３が挿入される貫通孔５２１を有する排水栓囲み部５２が形成されている。このような構成によれば、万一循環ポンプ排水栓５３から湯水が漏れた場合であっても、これらの湯水が該給湯機内に飛散する事態を有効に抑止することができる。
【００２４】
以上説明したとおり、断熱材３１，３２の断熱材切欠き部３５にふろ循環ポンプ８が固定された挿入用断熱材３４を嵌挿する構造とすることで、部品数が少なく構成が単純な低コストのふろ循環ポンプ８の固定構造を得ることができる。また、挿入用断熱材３４とポンプ支持架台５４とを防振ゴム５６及び防振ゴム締結ネジ５７で締結することで、振動の発生源であるふろ循環ポンプ８から給湯機内部への振動影響が極力減少するので、振動音を有効に減少させることが可能となる。また挿入用断熱材３４のカギ部５１を断熱材切欠き部３５の凹部３５２に挿入させることで、断熱材３１、３２の当接面の離反を有効に抑制することができる。更に挿入用断熱材３４に排水栓囲み部５２を設けることで、万一ふろ循環ポンプ８と循環ポンプ排水栓５３との接続箇所から水漏れが起こったとしても、水滴が周辺の機能部品に掛かる被害を防止することができる。
【００２５】
ところで、上述した実施の形態１の貯湯式給湯機においては、挿入用断熱材３４にふろ循環ポンプ８を固定することとしているが、振動の発生源となる機器であれば、他のポンプ等を固定することとしてもよい。また、上述した実施の形態１の貯湯式給湯機においては、挿入用断熱材３４とポンプ支持架台５４とを防振ゴム５６及び防振ゴム締結ネジ５７で締結することとしているが、ポンプ支持架台５４に直接金属部品が接触しないように締結することができるのであれば、例えば防振ゴム（ウェルナット）５６に代えてゴム製のワッシャー等を用いることとしてもよい。
【００２６】
また、上述した実施の形態１の貯湯式給湯機においては、挿入用断熱材３４のカギ部５１を断熱材切欠き部３５の凹部３５２に挿入させることで、断熱材３１、３２の当接面の離反を抑制することとしているが、カギ部５１および凹部３５２の形状は上述した実施の形態に限定されない。すなわち、カギ部５１および凹部３５２は、当接面の離反方向の力に対して抗力を発生しうる嵌合形状であればよく、例えば、カギ部５１が挿入用断熱材３４の表面３４１に沿って外形から突出する方向に設けられていてもよいし、また、挿入用断熱材３４側に凹部を設け、断熱材切欠き部３５にカギ部を設けることとしてもよい。より好ましくは、離反を抑制するため、挿入用断熱材３４を断熱材３１、３２よりも高強度の材料で構成してもよい。（例えば発泡率を下げて高強度化する等）
【００２７】
また、上述した実施の形態１の貯湯式給湯機においては、挿入用断熱材３４の表面３４１側の中央部に貫通孔５２１を有する排水栓囲み部５２を形成することとしているが、ふろ循環ポンプ８と循環ポンプ排水栓５３との接続箇所の周囲を覆うことが可能な形状であれば、その形状は特に限定されない。
【００２８】
また、上述した実施の形態１の貯湯式給湯機においては、断熱材３１，３２の当接面を跨いで断熱材切欠き部３５を形成することとしているが、断熱材同士が当接する当接面を跨ぐ位置に配置されるのであれば、その配置は特に限定しない。
【符号の説明】
【００２９】
３  貯湯タンク
８  ふろ循環ポンプ（ポンプ）
３０、３１、３２、３３  断熱材
３４  挿入用断熱材
３５  断熱材切欠き部（嵌合部）
５０  切削部（スリット溝）
５１  カギ部（突起部）
５２  排水栓囲み部
５３  排水栓（排水部）
５４  ポンプ支持架台（ポンプ支持部材）
５４１  固定部
５４２  ポンプ設置部
５６  防振ゴム（ウェルナット）
５７  防振ゴム締結ネジ
【図１】
2012197983.tif 000003
【図２】
2012197983.tif 000004
【図３】
2012197983.tif 000005
【図４】
2012197983.tif 000006
【図５】
2012197983.tif 000007
【図６】
2012197983.tif 000008
【図７】
2012197983.tif 000009
【図８】
2012197983.tif 000010